(57)【特許請求の範囲】
【請求項１】
釣鈎本体(１２)と、その釣鈎本体(１２)の表面全体に形成された被覆層(１４)とを備え、
上記被覆層(１４)が、少なくとも釣鈎本体(１２)の軸(１２ａ)に形成された樹脂塗装部(１６)と、その樹脂塗装部(１６)を除く部分に形成されたフッ素めっき加工部(１８)とで構成され、上記樹脂塗装部(１６)の摩擦抵抗が上記フッ素めっき加工部(１８)の摩擦抵抗よりも大きく形成されている釣鈎の製造方法であって、
上記の釣鈎本体(１２)の所定位置に、金属との密着性がよく、８０℃前後のアルカリ性溶液に対して耐性を有する、二液硬化型のポリウレタン樹脂，二液硬化型のアクリル変性ウレタン樹脂および焼付型アクリル樹脂からなる群より選ばれる何れか一つの樹脂を塗装して樹脂塗装部(１６)を形成し、
然る後、電解めっき又は無電解めっきにて上記の樹脂塗装部(１６)を除く釣鈎本体(１２)の表面全体に、含フッ素化合物粒子を共析させためっき被膜(１８ａ)で被覆したフッ素めっき加工部(１８)を形成する、
ことを特徴とする釣鈎の製造方法。
【請求項２】
請求項１の釣鈎の製造方法において、
前記樹脂塗装部(１６)が、前記釣鈎本体(１２)の先曲り(１２ｂ)にも設けられる、ことを特徴とする釣鈎の製造方法。
【発明の詳細な説明】
【技術分野】
【０００１】
本発明は、魚に対する刺さりが良い釣鈎の改良に関する。
【背景技術】
【０００２】
釣鈎の表面にフッ素めっき加工をした釣鈎が知られている。かかる釣鈎によれば、釣鈎表面の摩擦抵抗が極めて小さくなるため、滑りが良くなり、釣り対象魚の顎を釣鈎が容易に貫通するようになる。その結果、フッキング率が向上し（換言すれば、所謂「バラシ」が少なくなり）、釣果を上げることが出来るようになる。
【先行技術文献】
【非特許文献】
【０００３】
【非特許文献１】「隔週刊 ＤＡＩＷＡ  Ｔｅｃｈｎｏｌｏｇｙ  ＳａｑＳａｓ New Plating Technology」、グローブライド株式会社、［平成２７年１月３０日検索］、インターネット＜URL:http://all.daiwa21.com/fishing/column/technology/contents/013/＞
【発明の概要】
【発明が解決しようとする課題】
【０００４】
しかしながら、上記の先行技術には、次のような問題があった。
すなわち、例えば、鮎の友釣りで使用するイカリ針を作る際には、３本又は４本の釣鈎の軸をハリスの周りに束ねた後、その釣鈎の軸をハリスと共に根巻糸で巻いてイカリ状に組むようにしているが、釣鈎の表面全体にフッ素めっき加工が施された釣鈎では、軸の摩擦抵抗が小さく滑りやすいため、綺麗にイカリ針を作るのが難しくなるという問題が生じていた。
また、釣鈎にワームなどのソフトルアーやゴカイ類などの餌を付けて釣りをする場合には、釣鈎の所定位置に取り付けたワームや餌に対して軽微な力が加わっただけでそのワームや餌が簡単にズレてしまい、ズレたワームや餌を度々元の位置に戻さなければならないため、効率が悪くなり、釣果が低下するようになると言った問題も生じていた。
【０００５】
それゆえに、本発明の主たる課題は、魚に対する刺さりが良いのはもとより、仕掛け作りを好適に行なうことが可能な釣鈎の製造方法を提供することである。
【課題を解決するための手段】
【０００６】
上記の課題を達成するため、本発明は、例えば、図２及び図３に示す釣鈎１０の製造方法を次のように構成した。
釣鈎本体１２と、その釣鈎本体１２の表面全体に形成された被覆層１４とを備え、上記被覆層１４は、少なくとも釣鈎本体１２の軸１２ａに形成された樹脂塗装部１６と、その樹脂塗装部１６を除く部分に形成されたフッ素めっき加工部１８とで構成され、上記樹脂塗装部１６の摩擦抵抗が上記フッ素めっき加工部１８の摩擦抵抗よりも大きく形成されている釣鈎１０の製造方法であって、上記の釣鈎本体１２の所定位置に、金属との密着性がよく、８０℃前後のアルカリ性溶液に対して耐性を有する、二液硬化型のポリウレタン樹脂，二液硬化型のアクリル変性ウレタン樹脂および焼付型アクリル樹脂からなる群より選ばれる何れか一つの樹脂を塗装して樹脂塗装部１６を形成し、然る後、電解めっき又は無電解めっきにて上記の樹脂塗装部１６を除く釣鈎本体１２の表面全体に、含フッ素化合物粒子を共析させためっき被膜１８ａで被覆したフッ素めっき加工部１８を形成する、ことを特徴とする。
【０００７】
本発明の製造方法で製造された釣鈎１０は、次の作用効果を奏する。
釣鈎本体１２の軸１２ａにフッ素めっき加工部１８よりも摩擦抵抗が大きな樹脂塗装部１６を設けるようにしているので、釣鈎１０の軸にハリスを結束したり、複数本の釣鈎１０でイカリ針Ａを作る際に、釣鈎１０の軸が滑り過ぎてこれらの仕掛け作りが困難になるのを防止することができる。
【０００８】
本発明においては、上記樹脂塗装部１６を、上記釣鈎本体１２の軸１２ａに加え先曲り１２ｂにも設けるようにしてもよい。
この場合、釣鈎１０に刺したワーム２０や餌などが不所望にズレるのを低減させることができる。
【０００９】
また、本発明は、後述する実施形態に記載された特有の構成を付加することが好ましい。
【発明の効果】
【００１０】
本発明によれば、魚に対する刺さりが良いのはもとより、仕掛け作りを好適に行なうことが可能な釣鈎を提供することができる。
【図面の簡単な説明】
【００１１】
【図１】本発明の釣鈎を用いて作られるイカリ針の一例を示す斜視図である。
【図２】本発明の釣鈎の一実施態様を示す説明図である。
【図３】本発明の釣鈎の他の実施態様を示す説明図である。
【図４】図３で示した釣鈎の使用状態の一例を示す説明図である。
【発明を実施するための形態】
【００１２】
以下、本発明の一実施形態を図１及び図２を用いて説明する。
図１は、本発明に係る釣鈎１０を用いて作られる鮎の友釣り用のイカリ針Ａを示す斜視図であり、図２は、図１のイカリ針Ａを構成する釣鈎１０の概要を示す説明図である。
図１に示すように、本発明の釣鈎１０を用いて作られるイカリ針Ａは、３本又は４本(図示実施形態の場合は４本)の釣鈎１０の軸を、仕掛け糸Ｌ(ハリス)の軸周りに略等間隔で配置してこれらを背合わせ状にして束ねた後、その束ねた軸の上から根巻糸Ｒで巻いて錨状に形を整え、最後に接着剤で固定して形成される。
そして、このイカリ針Ａを形成する釣鈎１０は、図２に示すように、釣鈎本体１２と被覆層１４とで大略構成されている。
【００１３】
釣鈎本体１２は、金属線材を曲げ加工等して鈎状に形成した部材で、その形状は大中小から実に多種多様である。本発明では特にその形状は問わないが、ここでは、図１及び図２で示すように、鮎の友釣り仕掛けで用いる形状(狐型)の釣鈎１０を例に挙げて説明している。
この実施形態(第１の実施形態)の釣鈎本体１２では、軸１２ａの先端にチモト(タタキ)が設けられておらずストレートに形成されると共に、当該軸１２ａの鈎先側の面に、根巻糸Ｒが巻回し易いように複数の凹部１３が設けられている。
そして、この釣鈎本体１２の表面全体には、被覆層１４が層着されている。
【００１４】
被覆層１４は、電解Ｎｉめっき或いは無電解Ｎｉめっき等によって形成されたＮｉ(ニッケル)からなる下地めっき層１４ａと、この下地めっき層１４ａの表面に層設される樹脂塗装部１６及びフッ素めっき加工部１８とで構成される。なお、上記の下地めっき層１４ａは必要に応じて設けられるものであって、不要な場合にはこの下地めっき層１４ａを省略するようにしてもよい。また、下地めっき層１４ａを形成する金属はＮｉに限定されるものではない。
【００１５】
樹脂塗装部１６は、文字通り樹脂１６ａを塗装して形成した被覆部分であり、少なくとも釣鈎本体１２の軸１２ａの表面に設けられる。ここで、図２に示す実施形態の釣鈎１０では、図１に示すように釣鈎本体１２の軸１２ａ全体に根巻糸Ｒを巻回することから、当該軸１２ａ全体に樹脂塗装部１６を設けるようにしているが、この樹脂塗装部１６は、少なくとも軸１２ａの何れかの部分に設けられていれば足りる。換言すれば、軸１２ａに設ける樹脂塗装部１６の範囲は、必要に応じて適宜設定される。
【００１６】
この樹脂塗装部１６を形成する樹脂１６ａとしては、金属との密着性がよく、８０℃前後のアルカリ性溶液に対して耐性を有する樹脂(塗料)が好適であり、二液硬化型のポリウレタン樹脂や二液硬化型のアクリル変性ウレタン樹脂、或いは焼付型アクリル樹脂などが特に好適である。
また、この樹脂塗装部１６は、後述するフッ素めっき加工部１８よりも摩擦抵抗が大きくなるように構成することが特に重要である。
【００１７】
フッ素めっき加工部１８は、表面の滑りを良くするため、４フッ化エチレン樹脂、フッ化黒鉛、フッ化ビニリデン樹脂、フッ化ビニル樹脂等の含フッ素化合物粒子を共析させためっき被膜１８ａで被覆した部分である。このフッ素めっき加工部１８は、上記の樹脂塗装部１６が設けられた部分を除く、釣鈎本体１２の表面全体に形成される。
【００１８】
このフッ素めっき加工部１８を構成するめっき被膜１８ａにおいて、ベースとなる金属はＮｉ(ニッケル)が好適であるが、これに限定されるものではない。また、めっき被膜１８ａを形成する方法としては、公知のめっき方法、すなわち、電解めっきや無電解めっき等を採用することができる。このうち、短時間でめっき処理ができると言った生産性や経済性などの観点から見れば、電解めっきを用いるのが好適であるし、めっき被膜１８ａの均一性などと言った仕上がり具合の観点から見れば、無電解めっきの方が好適である。
なお、このフッ素めっき加工部１８と上述の樹脂塗装部１６とは、何れを先に釣鈎本体１２の表面に形成するようにしてもよいが、マスキングの容易性などを考慮すると、樹脂塗装部１６を先に形成しておくのが好ましい。
【００１９】
以上のように構成された第１の実施形態の釣鈎１０によれば、釣鈎本体１２の軸１２ａに、フッ素めっき加工部１８よりも摩擦抵抗が大きな樹脂塗装部１６を設けるようにしているので、複数本の釣鈎１０でイカリ針Ａを作る際に、釣鈎１０の軸が滑り過ぎてこれらの仕掛け作りが困難になるのを防止することができる。
【００２０】
次に、図３及び図４に示す第２の実施形態について説明する。上述した第１の実施形態と異なる部分は、釣鈎１０の形状及びそれに伴う用途が異なる点と、先曲り１２ｂにも樹脂塗装部１６が設けられている点である。なお、これら以外の部分は前記第１の実施形態と同じであるので、前記第１の実施形態の説明を援用して本実施形態の説明に代える。
【００２１】
この実施形態の釣鈎１０は、ワーム２０などのソフトルアーを装着して釣りを行なう際に使用する「オフセットフック」であり、図３に示すように、釣鈎本体１２の軸１２ａの先端に釣糸(ライン)が結束されるアイ１２ｃが設けられると共に、この軸１２ａのアイ１２ｃに近接する部分にクランク部１２ｄが形成される。
【００２２】
そして、上記のクランク部１２ｄと釣鈎本体１２の先曲り１２ｂとに樹脂塗装部１６が設けられており、それら以外の部分にフッ素めっき加工部１８が設けられている。
【００２３】
以上のように構成された釣鈎１０を使用する際には、図４に示すように、鈎先に刺したワーム２０の頭部をクランク部１２ｄまで挿通させた後、このワーム２０が略一直線状となるように当該ワーム２０腹部の所定位置に鈎先を突き刺して先曲り１２ｂまで通す。
【００２４】
この第２の実施形態の釣鈎１０によれば、ワーム２０が相対的に摩擦抵抗が大きな樹脂塗装部１６に取り付けられているため、釣鈎１０に刺したワーム２０が不所望にズレるのを低減させることができる。
【符号の説明】
【００２５】
１０：釣鈎，１２：釣鈎本体，１２ａ：(釣鈎本体の)軸，１２ｂ：(釣鈎本体の)先曲り，１４：被覆層，１６：樹脂塗装部，１８：フッ素めっき加工部。
【図１】
0006468954.tif 000002
【図２】
0006468954.tif 000003
【図３】
0006468954.tif 000004
【図４】
0006468954.tif 000005